(57)【特許請求の範囲】
【請求項１】
植物の芽を通さず保水性を有する黒色不織布、根や水を通さぬ黒色ポリシート、撥水性と防根性を有する黒色不織布を下から順に重ねて熱接着した１枚の防草シートに、一定の間隔で貫通孔を多数形成して、該防草シート下面に２ミリ目合の黒色ラッセルネットシート、その下に種子と肥料が付着した水溶性種子シートを配置し、各シートが一体化するように熱接着して一枚のシートとしたことを特徴とする種子付防草シート。
【発明の詳細な説明】
【技術分野】
【０００１】
本発明は、道路の分離帯や法面等の景観緑化を図る雑草防除と緑化シートを兼ね備えた植生緑化に関するものである。
【背景技術】
【０００２】
道路の分離帯や法面に生える雑草は、草丈も高くなり見通しが悪く交通の安全に支障をきたし、周囲の景観にも悪影響を及ぼすため、毎年膨大な経費を掛けて除草作業が行われてきた。そこで近年は、特許文献１の無機質粒子および無機質粒子を含有する合成樹脂より選ばれる表面層、改質アスファルト層および、基材層の少なくとも３層を積層した防草シートやこの３層に加え改質アスファルト層および、合成樹脂、ゴム、無機質粒子および無機質粒子を含有する合成樹脂より選ばれる裏面層との少なくとも５層を積層した防草シートを除草すべき箇所に敷設固定して雑草が生育しないようにする試みがなされている。
【０００３】
また、特許文献２では１層目は撥水性を有する不織布、２層目は透水性及び保水性を有する不織布の間に種子が保持された構造を基本とした防草緑化シートで、１層目は植物の芽を通すが表面に水分を滞留させ難く、飛来種子の発根を阻害する作用を要したシート、２層目は植物の根を通すが芽を通さない作用を要し、毛細現象により地表の水分を吸い上げ種子に到達させるシートを一体化させたシートで緑化と雑草防除を図った緑化方法による試みがなされている。
【０００４】
しかし、特許文献１での防草シートによる雑草防除は雑草が生育しない反面、むきだしの防草シート一色だけが広がり地域景観の悪化が問題となりつつある。また、緑化と雑草防除を図った特許文献２では１層目のシートは飛来種子の発根を阻害する作用を要しているが植芽を通すシートでは雑草の進入を完全に抑えることは不可能であり、また２層目のシートで地表より毛細現象で種子に水分を供給する仕組みであるが地表に水分が滞留している場合には可能であるが撥水性を有するシートを表面に使用している当該シートでは敷設面の地表に十分な水分を法給するのは難しい問題がある。
【先行技術文献】
【特許文献】
【０００５】
【特許文献１】特開２００２−２７２３４８号公報
【特許文献２】特願２０１１−０９２０６７号公報
【発明の概要】
【発明が解決しようとする課題】
【０００６】
本発明は、上記の問題を解決すべく破損や腐蝕がしにくく防草効果に優れ、地域景観と交通視界の妨げにならず、所望植物が長期間生育可能な軽量で施工が容易に行なえる防草シートを兼ね備えた種子付防草シートの提供をすることである。
【課題を解決するための手段】
【０００７】
そこで、設置箇所の雑草防除を図り、所望植物を繁茂させることが可能なシートを形成するために、下から順に植物の芽を通さず保水性を有する黒色不織布、根や水も通さぬ黒色ポリシート、撥水性と防根性を有する黒色不織布を重ねて熱接着にて１枚の防草シートとし、当該防草シート面に一定の間隔で直径十数ミリの貫通孔を無数に形成して貫通孔付防草シートとする。この貫通孔付防草シートの下部面である保水性を有する黒色不織布面の下に貫通孔からの雑草生育を抑制する２ミリ目合の黒色ラッセルネットを、その下に水溶性シートに保護された種子シートの順に配置し、各シート類が一体化するように熱接着して１枚の種子付防草シートを形成する。
【０００８】
当該種子付防草シートを従来除草作業が行われていた分離帯等の施工箇所に種子シート面を下面として隙間無く敷設し、頭部が大きい大頭ピンを用いて打設固定し、さらに種子付防草シートが構造物と接する縁廻面の隙間をシーリング剤で塞ぎ隙間等からの雑草生育は抑制し、所望植物種子を生育させることが可能な種子付防草シートによる緑化工法。
【発明の効果】
【０００９】
敷設後に大頭ピンで固定し、縁廻りをシーリング剤にて塞ぐ該種子付防草シートを用いた緑化工法は、設置箇所の雑草生育を抑制し、所望植物を貫通孔から生育・繁茂させることが可能となり、除草管理が必要な道路や法面等の緑化や地域景観の向上を図ることができる。
【００１０】
また、敷設する種子付防草シートに内包されている種子は、草刈を必要としないほふく茎型短草種（例えばタキイ種苗のセンチピードグラステイフ・ブレア、野芝、バミューダグラス等）とし、種子付防草シート下で発芽した草種は、やがて貫通孔から種子付防草シート上にランナー状に生育して密度の高い草地をシート上に形成し、よりいっそう雑草の侵入を防止し、毎年行なわれてきた除草経費の削減と道路交通視野の改善がされる。
【００１１】
なお、腐食しにくい材質で形成された種子付防草シートは、軽量で施工が容易な上、耐久性の確保と複数のシートによる保温性と水分蒸発の抑制を実現し、保水期間が長期に渡り確保できるため、自然降雨のみで所望植物が長期生育可能な種子付防草シートでもある。
【図面の簡単な説明】
【００１２】
【図１】種子付防草シートの防草部の構成を示す説明図である。
【図２】種子付防草シートに貫通孔を形成する説明図である。
【図３】種子付防草シートを示す説明図である。
【図４】種子付防草シートを敷設固定する説明図である。
【発明を実施するための形態】
【００１３】
以下、図面を参照して本発明の具体的な実施形態を詳述する。
【実施例】
【００１４】
図１は、種子付防草シートの防草部の構成を示す説明図である。この防草部を形成するシート類は、いずれも軽量で破損や腐蝕がしにくく光を通しにくい材質で、底部から、レーヨン性で植物の芽を通さず保水性を有する黒色不織布１ａ、植根や水も通さない黒色ポリシート２、撥水性と防根性を有するポリエステル性黒色不織布１ｂの順に重ね、熱接着で１枚の光を通さない防草シート３を形成する。
【００１５】
図２は、上述で形成した防草シート３の表面左・右辺に約２センチ幅の糊代部５を設け
、その一辺に防草シートを繋ぎ合わせる両面粘着テープ６を形成し、所望植物が当該防草シート３の下からシート上に伸長可能なように直径１０ミリの貫通孔４を縦横２０ミリの間隔で配置し、上部面を撥水性の黒色不織布で、底部面を保水性有する黒色不織で形成する貫通孔付防草シート７とする。なお、防草シートに占める貫通孔の面積は約９パーセント、無孔割合が９１パーセントとなる。また、防草シート面に粘着テープを形成したことにより防草シートと防草シート間に隙間を作ることなく敷設することが可能となり風で煽られることも無く雑草を防止する。
【００１６】
図３は、図２で形成された貫通孔付防草シート７の糊代部分を除いた底部面に既存の雑草が貫通孔から突き抜け成長することを防除する２ミリ目合のポリエチレン性黒色ラッセルネットシート８を、その下に水溶性の紙シートにほふく茎型短草種と肥料を内包した種子シート９を配置して各シートが一体化するように熱接着して１枚の種子付防草シート１０とする。種子シート９は水分を吸収すると溶ける性質があるので、地表の水分や貫通孔からの水分等により溶け出し、内包された種子が地表に直接接触し、水分を吸収して発芽生育する。
【００１７】
図４は、種子付防草シートを敷設施工した断面図である。種子付防草シートを雑草が繁茂し、除草作業が行われてきた道路分離帯や法面等に敷設固定する。設置は、種子付防草シートと敷設面との間に空隙を作らないために、雑草の刈取後に敷設地面と種子付防草シート１０を密着させ、糊代部分を重ね合わせて付帯の両面粘着テープにて粘着し、この作業を繰返して敷設域全面を被うて１枚の種子付防草シートとする。重ね合わせを主体にアンカーピンで該種子付防草シートを固定するが該アンカーピン側面部からの雑草生育を防止するためにアンカーピンの太さより幅広の頭部を形成した大頭型アンカーピン１１を使用する。
【００１８】
設置箇所に敷設固定された種子付防草シート１０の縁廻りに接するコンクリートブロック等の縁石１２との隙間より雑草が生育しないように種子付防草シート１０と縁石１２間の隙間をシーリング剤１３で塞ぎ、種子付防草シートの設置面から一切雑草が生育することのないように種子付防草シート１０が敷設固定される。
【００１９】
種子付防草シートは、種子付シート以外は黒色シートで形成されており、貫通孔がシート面積の約９％、無孔部分が約９１％の割合で占めており、貫通孔部分以外は太陽光が届かず雑草が生育することがなく、またシート面に形成された貫通孔は、目合が２ミリのラッセルネットシートで塞がれているので、既存の雑草の生育が抑えられ地表に雑草が生育することがない。なお、種子付防草シートに内包されたほふく茎型の種子は、敷設面に設置されると地表の湿気と温度が保たれて早期に種子が発芽し、針のような芽は、２ミリ目合を突き抜け貫通孔から該種子付防草シート上に生育し、やがてランナーしながら成長してシート面上を覆い尽くす。
【産業上の利用可能性】
【００２０】
種子付防草シートは、雑草の生育を抑制して所望草種を繁茂させる防草と植生を兼ね備えたシートであり、軽量で施工が容易な上、破損や腐蝕がしにくく、長期に渡り構造体の保持が可能であり、除草管理が必要な道路や法面等の緑化資材として、また景観形成等における自然環境の復元緑化資材として、これから大いに利用される可能性の高いものである。
【符号の説明】
【００２１】
１ａ  黒色不織布
１ｂ  黒色不織布
２    黒色ポリシート
３    防草シート
４    貫通孔
５    糊代部
６    両面粘着テープ
７    貫通孔付防草シート
８    黒色ラッセルネット
９    種子シート
１０    種子付防草シート
１１    大頭型アンカーピン
１２    縁石
１３    シーリング剤
【要約】
【課題】防草効果に優れ、破損や腐蝕がしにくく、地域景観の保全形成に効果を有し、交通視界の妨げにならない短草植物が長期間生育可能で施工が容易に行える緑化シートによる緑化工法の提供。
【解決手段】植物の芽を通さず、保水性を有する黒色不織布、水と根を通さぬ黒色ポリシート、撥水性と防根性を有する黒色不織布の順に重ねて熱接着した１枚の防草シートに一定の間隔で貫通孔を無数形成したシート下面に２ミリ目合の黒色ラッセルネットシート、その下に種子と肥料が付着した水溶性種子シートを敷設し、各シートが一体化するように熱接着して一枚のシートとした種子付防草シートを設置面に固定ピンの太さより幅広の頭部を形成した大頭ピンにて打設固定し、縁石間の隙間をシーリング剤で塞ぎ、雑草防除を図り所望植物を繁茂させる種子付防草シートによる緑化工法。
【選択図】図３【図１】
0005416873.tif 000002
【図２】
0005416873.tif 000003
【図３】
0005416873.tif 000004
【図４】
0005416873.tif 000005